(57)【要約】【課題】複数の記録媒体に対して、煩雑な録画予約操作や記録内容の管理などを行うことなく、連続ドラマなどの特定の放送番組のみを確実に録画できるようにする。【解決手段】書き換え可能なディスク１は、複数の放送番組の録画予約情報と、１つ以上の他のディスクと共通のシリーズＩＤとが記録されている。録画装置２は、ディスク１に記録された録画予約情報及びシリーズＩＤを読み出す読出手段と、読み出した録画予約情報を放送番組毎にリスト表示する表示手段と、リスト表示された録画予約情報の中からユーザにより選択された録画予約情報をそのシリーズＩＤと共に録画装置２に設定する録画予約情報設定手段と、設定したシリーズＩＤと同じシリーズＩＤを有するディスク（ディスク１及び同じシリーズＩＤの他のディスク）にのみ、設定した録画予約情報に対応する放送番組を録画する録画手段とを備える。【選択図】図２
2010244663.tif 000002
【特許請求の範囲】
【請求項１】
書き換え可能な記録媒体であって、複数の放送番組の録画予約情報と、１つ以上の他の記録媒体と共通のシリーズＩＤとが記録されていることを特徴とする記録媒体。
【請求項２】
請求項１に記載の記録媒体において、前記他の記録媒体は、前記シリーズＩＤのみが記録されていることを特徴とする記録媒体。
【請求項３】
請求項１に記載の記録媒体において、前記他の記録媒体は、前記複数の放送番組の録画予約情報と、前記シリーズＩＤとが記録されていることを特徴とする記録媒体。
【請求項４】
共通のシリーズＩＤが記録された複数の記録媒体で構成される記録媒体セットであって、前記複数の記録媒体の少なくとも１つの記録媒体に、複数の放送番組の録画予約情報が記録されていることを特徴とする記録媒体セット。
【請求項５】
複数の放送番組の録画予約情報と、１つ以上の他の記録媒体と共通のシリーズＩＤとが記録された書き換え可能な記録媒体に録画を行う録画装置であって、
前記記録媒体に記録された録画予約情報及びシリーズＩＤを読み出す読出手段と、該読み出した録画予約情報を放送番組毎にリスト表示する表示手段と、該リスト表示された録画予約情報の中からユーザにより選択された録画予約情報をそのシリーズＩＤと共に前記録画装置に設定する録画予約情報設定手段と、該設定したシリーズＩＤと同じシリーズＩＤを有する記録媒体にのみ前記録画予約情報に対応する放送番組を録画する録画手段とを備えたことを特徴とする録画装置。
【請求項６】
請求項５に記載の録画装置において、前記他の記録媒体は、前記シリーズＩＤのみが記録されていることを特徴とする録画装置。
【請求項７】
請求項５に記載の録画装置において、前記他の記録媒体は、前記複数の放送番組の録画予約情報と、前記シリーズＩＤとが記録されていることを特徴とする録画装置。
【請求項８】
請求項５〜７のいずれか１項に記載の録画装置において、前記録画予約情報設定手段により設定された録画予約情報を表示させた状態で、該録画予約情報のシリーズＩＤと異なる他のシリーズＩＤが記録された記録媒体が装着された場合、前記録画予約情報設定手段は、前記他のシリーズＩＤを前記録画予約情報に対応付けて前記録画装置に設定することを特徴とする録画装置。
【請求項９】
請求項５〜７のいずれか１項に記載の録画装置において、前記録画予約情報設定手段により設定された録画予約情報による録画開始時刻になったときに、前記シリーズＩＤが記録された記録媒体が装着されていない場合、前記録画手段は、前記録画予約情報に対応する放送番組を、前記録画装置が内蔵する記憶手段に録画することを特徴とする録画装置。
【請求項１０】
請求項９に記載の録画装置において、該録画装置の電源をオフしたとき、または、次回電源をオンしたときに、前記シリーズＩＤが記録された記録媒体を装着するように促すメッセージを表示させ、該記録媒体が装着されたことを検知すると、前記記憶手段に録画した放送番組を、前記記録媒体にコピーあるいはムーブすることを特徴とする録画装置。
【請求項１１】
請求項５〜７のいずれか１項に記載の録画装置において、該録画装置は、シリーズＩＤが異なる複数の記録媒体を格納し該複数の記録媒体に対して選択的に録画又は再生を行うためのチェンジャ装置と接続され、前記録画手段は、前記チェンジャ装置に格納されたいずれかの記録媒体の録画予約情報により放送番組を録画する際に、前記チェンジャ装置に格納された複数の記録媒体の中から、前記録画予約情報に対応するシリーズＩＤが記録された記録媒体を選択し、該選択した記録媒体に前記放送番組を録画することを特徴とする録画装置。
【請求項１２】
請求項５〜７のいずれか１項に記載の録画装置において、前記記録媒体に記録された録画予約情報は、各番組について地域毎のチャンネル及び放送予定時間を含み、前記録画予約情報設定手段は、前記録画装置に設定された地域設定と、前記リストからユーザにより選択された放送番組とに基づいて、前記記録媒体の録画予約情報を参照し、前記放送番組について該当する地域のチャンネル及び放送予定時間を選択して前記録画装置に設定することを特徴とする録画装置。
【請求項１３】
複数の放送番組の録画予約情報と、１つ以上の他の記録媒体と共通のシリーズＩＤとが記録された書き換え可能な記録媒体に録画を行う録画装置による録画方法であって、
前記記録媒体に記録された録画予約情報及びシリーズＩＤを読み出すステップと、該読み出した録画予約情報を放送番組毎にリスト表示するステップと、該リスト表示された録画予約情報の中からユーザにより選択された録画予約情報をそのシリーズＩＤと共に前記録画装置に設定するステップと、該設定したシリーズＩＤと同じシリーズＩＤを有する記録媒体にのみ前記録画予約情報に対応する放送番組を録画するステップとを備えたことを特徴とする録画方法。
【発明の詳細な説明】
【技術分野】
【０００１】
本発明は、記録媒体、記録媒体セット、録画装置、及び録画方法に関し、より詳細には、放送番組の録画予約情報が記録された記録媒体、記録媒体セット、該記録媒体の録画予約情報により録画を行う録画装置、及び該録画装置による録画方法に関する。
【背景技術】
【０００２】
近年、一般家庭において、ＤＶＤ（Digital Versatile Disc）レコーダやＢＤ（Blu-ray Disc）レコーダなどが急速に普及している。これに伴い家庭内においてもこれらＤＶＤやＢＤなど、大容量の光ディスク媒体にＴＶ放送番組を手軽に録画し、ユーザは録画番組を見たいときに繰り返し視聴したり、さらには、気に入った番組を録画した光ディスクをコレクションとして保存しておくことができるようになってきた。
【０００３】
一般に特定のＴＶ放送番組を録画予約する際には、ユーザが録画予約画面上で日時やチャンネルなどを指定したり、あるいは、ユーザが電子番組表（ＥＰＧ：Electronic Program Guide）などから録画予約操作を行うことで、個別に録画予約を行う必要がある。また、レコーダの中には、毎週同じ時間に同じ番組（連続ドラマなど）を予約する繰り返し録画予約機能を備えたものがあるが、放送局の都合で放送日時が変更されたり、あるいは、放送時間が延長され、録画に失敗することがある。
【０００４】
また、一度に多くの番組を録画する際には、１枚の光ディスク内に異なる番組が録画されてしまう場合があるが、１枚の光ディスクに複数の異なる番組を混在させてしまうと、ユーザが後で視聴する際に、タイトルの検索が面倒であり、さらには、このような光ディスクの枚数が増えてくると整理が困難になるという問題がある。
【０００５】
これに対して、例えば、特許文献１，２には、ディスク内に予め録画予約情報を記録しておき、その録画予約情報の内容に従って、録画予約を行うものが記載されている。特許文献１には、光ディスクに録画可能な複数種類のテレビジョン放送のうち、光ディスクに固有の予め設定された特定種類のテレビジョン放送の記録開始予定時刻と記録終了予定時刻とを少なくとも含む予約情報が記録された光ディスクが記載されている。また、特許文献２には、管理領域とデータ領域を有し、管理領域に記録予約に関する情報を記録しておく光ディスクが記載されている。
【０００６】
これらによれば、ユーザが光ディスクに番組の録画を行う際に、録画予約設定の手間が省け、１枚の特定の光ディスクに１種類の番組を続けて記録したい場合にもユーザが光ディスクを管理し易くなる。
【先行技術文献】
【特許文献】
【０００７】
【特許文献１】特開平１１−２６００４３号公報
【特許文献２】特開平１１−２１３６２７号公報
【発明の概要】
【発明が解決しようとする課題】
【０００８】
しかしながら、特許文献１，２に記載の技術は共に、レコーダにより録画予約情報が予め書き込まれた１つの光ディスクに対して、録画予約情報に応じた特定の番組を録画することを前提としたものであり、複数の光ディスクに対して、毎日あるいは毎週連続的に放送される連続番組を録画する場合には以下のような問題が生じる。例えば、毎週月曜日の午後９時〜１０時の時間帯に連続１０回（第１話〜第１０話）放送される１つの連続ドラマを、複数の光ディスクに分けて録画する場合について想定する。この場合、特許文献１，２に記載の光ディスクに対して、光ディスクに記録されている録画予約情報に基づいて連続ドラマの第１話から順番に録画を開始する。なお、光ディスクから読み出された録画予約情報はレコーダの内蔵メモリに格納される。
【０００９】
そして、その光ディスクの容量が一杯になった場合、ユーザは未使用の別の光ディスクを準備し、この別の光ディスクを使用して連続ドラマの続きを録画することになる。この際、ユーザが誤って意図しない光ディスクを使用してしまった場合、レコーダは、この光ディスクをこの連続ドラマの録画に使用すべきか否かを判断することができないため、ユーザの意図に係らず光ディスクに録画が実行されてしまうことになる。
【００１０】
このように、特許文献１，２に記載の技術をはじめとする従来技術では、ある特定の連続番組（上記例では連続ドラマの第１話〜第１０話）を複数の光ディスクに録画してコレクションを作成しようとした場合に、複数の光ディスクに対して、当該連続番組のみを確実に収める仕組みがなかったため、ユーザからすると、誤って意図しない光ディスクを使用しないように光ディスクの記録内容を管理する必要があり、余計な手間がかかるという問題がある。
【００１１】
本発明は、上述のごとき実情に鑑みてなされたものであり、複数の記録媒体に対して、煩雑な録画予約操作や記録内容の管理などを行うことなく、連続ドラマなどの特定の放送番組のみを確実に録画できるようにすること、を目的とする。
【課題を解決するための手段】
【００１２】
上記課題を解決するために、第１の技術手段は、書き換え可能な記録媒体であって、複数の放送番組の録画予約情報と、１つ以上の他の記録媒体と共通のシリーズＩＤとが記録されていることを特徴としたものである。
【００１３】
第２の技術手段は、第１の技術手段において、前記他の記録媒体は、前記シリーズＩＤのみが記録されていることを特徴としたものである。
【００１４】
第３の技術手段は、第１の技術手段において、前記他の記録媒体は、前記複数の放送番組の録画予約情報と、前記シリーズＩＤとが記録されていることを特徴としたものである。
【００１５】
第４の技術手段は、共通のシリーズＩＤが記録された複数の記録媒体で構成される記録媒体セットであって、前記複数の記録媒体の少なくとも１つの記録媒体に、複数の放送番組の録画予約情報が記録されていることを特徴としたものである。
【００１６】
第５の技術手段は、複数の放送番組の録画予約情報と、１つ以上の他の記録媒体と共通のシリーズＩＤとが記録された書き換え可能な記録媒体に録画を行う録画装置であって、前記記録媒体に記録された録画予約情報及びシリーズＩＤを読み出す読出手段と、該読み出した録画予約情報を放送番組毎にリスト表示する表示手段と、該リスト表示された録画予約情報の中からユーザにより選択された録画予約情報をそのシリーズＩＤと共に前記録画装置に設定する録画予約情報設定手段と、該設定したシリーズＩＤと同じシリーズＩＤを有する記録媒体にのみ前記録画予約情報に対応する放送番組を録画する録画手段とを備えたことを特徴としたものである。
【００１７】
第６の技術手段は、第５の技術手段において、前記他の記録媒体は、前記シリーズＩＤのみが記録されていることを特徴としたものである。
【００１８】
第７の技術手段は、第５の技術手段において、前記他の記録媒体は、前記複数の放送番組の録画予約情報と、前記シリーズＩＤとが記録されていることを特徴としたものである。
【００１９】
第８の技術手段は、第５〜第７のいずれか１の技術手段において、前記録画予約情報設定手段により設定された録画予約情報を表示させた状態で、該録画予約情報のシリーズＩＤと異なる他のシリーズＩＤが記録された記録媒体が装着された場合、前記録画予約情報設定手段は、前記他のシリーズＩＤを前記録画予約情報に対応付けて前記録画装置に設定することを特徴としたものである。
【００２０】
第９の技術手段は、第５〜第７のいずれか１の技術手段において、前記録画予約情報設定手段により設定された録画予約情報による録画開始時刻になったときに、前記シリーズＩＤが記録された記録媒体が装着されていない場合、前記録画手段は、前記録画予約情報に対応する放送番組を、前記録画装置が内蔵する記憶手段に録画することを特徴としたものである。
【００２１】
第１０の技術手段は、第９の技術手段において、該録画装置の電源をオフしたとき、または、次回電源をオンしたときに、前記シリーズＩＤが記録された記録媒体を装着するように促すメッセージを表示させ、該記録媒体が装着されたことを検知すると、前記記憶手段に録画した放送番組を、前記記録媒体にコピーあるいはムーブすることを特徴としたものである。
【００２２】
第１１の技術手段は、第５〜第７のいずれか１の技術手段において、該録画装置は、シリーズＩＤが異なる複数の記録媒体を格納し該複数の記録媒体に対して選択的に録画又は再生を行うためのチェンジャ装置と接続され、前記録画手段は、前記チェンジャ装置に格納されたいずれかの記録媒体の録画予約情報により放送番組を録画する際に、前記チェンジャ装置に格納された複数の記録媒体の中から、前記録画予約情報に対応するシリーズＩＤが記録された記録媒体を選択し、該選択した記録媒体に前記放送番組を録画することを特徴としたものである。
【００２３】
第１２の技術手段は、第５〜第７のいずれか１の技術手段において、前記記録媒体に記録された録画予約情報は、各番組について地域毎のチャンネル及び放送予定時間を含み、前記録画予約情報設定手段は、前記録画装置に設定された地域設定と、前記リストからユーザにより選択された放送番組とに基づいて、前記記録媒体の録画予約情報を参照し、前記放送番組について該当する地域のチャンネル及び放送予定時間を選択して前記録画装置に設定することを特徴としたものである。
【００２４】
第１３の技術手段は、複数の放送番組の録画予約情報と、１つ以上の他の記録媒体と共通のシリーズＩＤとが記録された書き換え可能な記録媒体に録画を行う録画装置による録画方法であって、前記記録媒体に記録された録画予約情報及びシリーズＩＤを読み出すステップと、該読み出した録画予約情報を放送番組毎にリスト表示するステップと、該リスト表示された録画予約情報の中からユーザにより選択された録画予約情報をそのシリーズＩＤと共に前記録画装置に設定するステップと、該設定したシリーズＩＤと同じシリーズＩＤを有する記録媒体にのみ前記録画予約情報に対応する放送番組を録画するステップとを備えたことを特徴としたものである。
【発明の効果】
【００２５】
本発明によれば、複数の記録媒体に対して、煩雑な録画予約操作や記録内容の管理などを行うことなく、連続ドラマなどの特定の放送番組のみを確実に録画できるため、ユーザは所望の番組を収めた記録媒体のコレクションを簡単に作成することができ、この記録媒体のコレクションには１つの番組のみが連続的に録画されているため、整理がし易くなる。
【図面の簡単な説明】
【００２６】
【図１】本発明に係る記録媒体のファイル構造の一例を説明するための図である。
【図２】本発明の一実施形態に係る録画装置の構成例を示すブロック図である。
【図３】本発明の第１の実施形態に係る録画装置による録画方法の一例を説明するための図である。
【図４】本発明の第２の実施形態に係る録画装置による録画方法の一例を説明するための図である。
【図５】本発明の第３の実施形態に係る録画装置による録画方法の一例を説明するための図である。
【図６】本発明の第４の実施形態に係る録画装置による録画方法の一例を説明するための図である。
【図７】本発明の第５の実施形態に係る録画装置による録画方法の一例を説明するための図である。
【図８】本発明の第６の実施形態に係る録画装置による録画方法の一例を説明するための図である。
【発明を実施するための形態】
【００２７】
以下、添付図面を参照しながら、本発明の記録媒体、記録媒体セット、該記録媒体に録画を行う録画装置、該録画装置による録画方法に係る好適な実施の形態について説明する。
【００２８】
図１は、本発明に係る記録媒体のファイル構造の一例を説明するための図で、図中、１は記録媒体を示す。この記録媒体１としては、例えば、ＤＶＤやＢＤなどの大容量の書き換え可能な光ディスク媒体（以下、ディスク１という）を適用することができる。このディスク１は、１つ以上の他のディスクと共通のディスクシリーズＩＤ（本発明のシリーズＩＤに相当）１１と、複数の放送番組の録画予約情報１２とを記録している。なお、このディスク１のファイル構造は、上記のディスクシリーズＩＤ１１と録画予約情報１２とを予め記録している以外、一般的なＢＤのファイル構造と同様であるため、ここでの説明は省略するものとする。
【００２９】
放送番組の番組情報を提供する放送局は、ディスク１の製造元に、将来放送する予定の番組に係る番組情報として、例えば、番組名、出演者、放送予定時間（放送スケジュール）などの情報を定期的あるいは不定期に提供する。例えば、連続ドラマや連続アニメなどの連続番組の放送を開始する所定期間前のタイミングで提供することが好ましい。また、番組情報の更新があった場合にも、更新の都度、最新の番組情報を提供することが好ましい。そして、ディスク製造元は、放送局から提供された番組情報に基づいて、複数の放送番組の録画予約情報１２と、他のディスクと共通のディスクシリーズＩＤ１１とをディスクに書き込んで、上記のディスク１を製造する。
【００３０】
ディスク製造元は、例えば、ディスクシリーズＩＤ１１及び録画予約情報１２を記録した１枚のマスターディスクと、同じディスクシリーズＩＤ１１のみを記録した１枚以上のブランクディスクとをセットにして販売する。また、ディスクシリーズＩＤ１１及び録画予約情報１２を記録した複数枚のマスターディスクをセットにして販売してもよい。上記のマスターディスクはディスク１に相当し、録画予約情報１２を記録せず、ディスクシリーズＩＤ１１のみを記録するブランクディスクと区別するものとする。なお、上記ディスクセットの販売形態は、販売店による店頭販売でもよく、インターネット等を利用した通信販売としてもよい。
【００３１】
ディスク１にディスクシリーズＩＤ１１及び録画予約情報１２を書き込むタイミングは、ディスク製造元が工場出荷時に行うようにしてもよく、あるいは、販売店でディスク１に対応した書き込み装置により書き込むようにしてもよい。なお、録画予約情報１２は、放送局から提供される最新の番組情報に基づきディスク１に書き込まれる必要があるが、放送局から提供される番組情報が更新され、販売店の店頭に並べられたディスク１の録画予約情報１２が古くなった場合、販売店でディスク１の録画予約情報１２を更新することで、常に最新の録画予約情報を記録した状態でディスク１を販売することができる。
【００３２】
ユーザは、上記販売店等で購入したディスクセットのうち、ディスク１を録画装置（後述の図２）に装着する。録画装置は、ディスク１が装着されると、このディスク１に記録されている番組毎の録画予約情報１２を読み出して、この番組毎の録画予約情報１２をユーザにより選択可能にリスト表示する。そして、ユーザがリモコン等を操作して、表示された番組リストから、所望の番組を選択指示すると、この番組の録画予約情報１２が録画装置に設定される。この際、録画予約情報１２と共にディスクシリーズＩＤ１１も録画装置に設定される。これにより一連の録画予約動作が完了する。なお、ユーザにより選択された番組の録画予約情報１２及びディスクシリーズＩＤ１１は録画装置の内部メモリに記憶される。
【００３３】
そして、録画装置は、上記により設定された録画予約情報１２の放送予定時刻になると、録画する番組のチャンネルに切り替えて、ディスクへの録画を開始する。この際、録画装置は、自身の内部メモリに記憶したディスクシリーズＩＤ１１が、ディスクに記録されているか否かを判定し、同じディスクシリーズＩＤ１１が記録されたディスクにのみ録画を行う。従って、ディスクシリーズＩＤ１１が記録されたディスクが装着されていない場合、例えば、ディスクが未装着の場合や、ディスクシリーズＩＤ１１とは異なる他のディスクシリーズＩＤを記録したディスクが装着されている場合、ディスクシリーズＩＤが記録されていないディスクが装着されている場合には、ディスクに対する録画は実行されない。このような場合には録画装置が内蔵するＨＤＤ（ハードディスクドライブ）やフラッシュＲＯＭなどに一時的に録画しておき、後で同じディスクシリーズＩＤ１１が記録されたディスクにコピーあるいはムーブすることができる。
【００３４】
ここで、ディスク製造元で製造される前述のディスクセットの形態について説明する。例えば、ある放送局で３つの連続ドラマＡ，Ｂ，Ｃがそれぞれ毎週月、火、水の午後９時〜１０時の時間帯で計１０話ずつ放送されるものとする。この場合、連続ドラマＡ，Ｂ，Ｃそれぞれに対応した録画予約情報１２をディスク１に記録しておく。このディスク１を含むディスクセットの枚数は、例えば、１時間の連続ドラマ１０話分をハイビジョン録画するのに必要なディスク容量に基づいて決定するようにしてもよい。
【００３５】
上記例のように、放送時間や放送回数が略同じような連続番組の録画予約情報１２を記録している場合、ユーザによりいずれの番組が選択されたとしても同程度の録画容量となることが予想されるため、いずれか１つの番組に合わせてディスクセットの枚数を決定すればよい。また、放送時間や放送回数の異なる複数の連続番組の録画予約情報１２を記録している場合、録画容量が最大となる番組に合わせてディスク枚数（ディスク容量）を決定してもよい。いずれのケースにしても、ディスクセットに含まれるディスクは書き換え可能であるため、ディスクが余った場合には他の録画等に転用することができる。
【００３６】
図２は、本発明の一実施形態に係る録画装置の構成例を示すブロック図で、図中、２は録画装置を示す。この録画装置２は、デジタル放送信号を受信して、ＭＰＥＧ−２ＴＳ（Transport Stream）をストリーム処理部２３に出力するデジタルチューナ２１と、図示しないアナログチューナを介して入力されるアナログ放送信号などの映像入力をＭＰＥＧ−２ＴＳに変換し、これをストリーム処理部２３に出力するＭＰＥＧ（Moving Picture Experts Group）−２エンコーダ２２と、デジタルチューナ２１あるいはＭＰＥＧ−２エンコーダ２２から入力されるＭＰＥＧ−２ＴＳから映像ストリーム、音声ストリーム、及びその他のＳＩ（Service Information）情報などを分離・出力するストリーム処理部２３とを備える。
【００３７】
また、録画装置２は、録画装置２の録画または再生の動作を制御するＣＰＵで構成される録画／再生制御部２４と、録画制御や再生制御に必要なプログラムやデータを格納する揮発性メモリである録画／再生制御用メモリ２５と、ストリーム処理部２３で分離された映像ストリーム及び音声ストリームをデコードして映像信号及び音声信号を出力する再生用デコーダ２６と、デコードされた映像信号に対してサイズ変換や色の補正等を行い、さらに必要なＯＳＤ信号を重畳する画像処理／ＯＳＤ処理部２７と、画像処理／ＯＳＤ処理部２７から出力された映像信号を表示するＬＣＤ（Liquid Crystal Display）などの表示部２８とを備える。なお、再生用デコーダ２６でデコードされた音声信号は図示しないスピーカから音声出力される。
【００３８】
また、録画装置２は、録画装置２の動作を制御するためのプログラムや各種設定データなどを格納する不揮発性メモリであるプログラム格納／設定保存用メモリ２９と、ディスクドライブ部３１とのインタフェースとなるＳＡＴＡ（Serial ATA）Ｉ／Ｆ３０と、ディスク１を装着しディスク１に対して読み込み／書き込みを行うディスクドライブ部３１と、ＨＤＤやフラッシュＲＯＭなどで構成される記憶部３２とを備える。なお、ＳＡＴＡＩ／Ｆ３０はＡＴＡ（Advanced Technology Attachment）規格のＩ／Ｆであってもよい。
【００３９】
ディスク１に録画する場合、ストリーム処理部２３は、デジタルチューナ２１あるいはＭＰＥＧ−２エンコーダ２２から入力されるＭＰＥＧ−２ＴＳから必要なパケット（映像ストリーム，音声ストリーム）を抽出し、録画に適したフォーマットに変換する。ストリーム変換部２３で変換されたストリームはＳＡＴＡＩ／Ｆ３０を介してディスクドライブ部３１に転送され、ディスクドライブ部３１は、転送されたストリームをディスク１に書き込んで録画を行う。また、ディスク１から再生する場合、録画／再生制御部２４は、ディスク１に録画されたストリームをＳＡＴＡＩ／Ｆ３０を介して読み出し、読み出したストリームを再生用デコーダ２６に送る。再生用デコーダ２６は、このストリームをデコード処理し、映像信号を画像処理／ＯＳＤ処理部２７を介して表示部２８に表示させ、音声信号をスピーカから出力させる。
【００４０】
ここで、録画装置２として、図１に示したディスク１を装着可能なディスクドライブ部３１を一体的に備えたテレビジョン装置として例示したが、表示部２８を持たないレコーダなどであってもよい。録画装置２をレコーダとして構成する場合、テレビジョン装置などの表示装置と外部接続すればよい。
【００４１】
本発明の主たる特徴部分は、複数の記録媒体に対して、煩雑な録画予約操作や記録内容の管理などを行うことなく、連続ドラマなどの特定の放送番組のみを確実に録画できるようにすることにある。このための構成として、録画装置２は、ディスク１に記録された録画予約情報１２及びディスクシリーズＩＤ１１を読み出す読出手段と、読み出した録画予約情報１２を放送番組毎にリスト表示する表示手段と、リスト表示された録画予約情報１２の中からユーザにより選択された録画予約情報１２をそのディスクシリーズＩＤ１１と共に録画装置２に設定する録画予約情報設定手段と、設定したディスクシリーズＩＤ１１と同じディスクシリーズＩＤを有するディスク（すなわち、ディスク１及び同じディスクセットに含まれる他のディスク）にのみ、上記設定した録画予約情報１２に対応する放送番組を録画する録画手段とを備える。
【００４２】
これにより、複数のディスクに対して、煩雑な録画予約操作や記録内容の管理などを行うことなく、連続ドラマなどの特定の放送番組のみを確実に録画できるため、ユーザは所望の番組を収めたディスクのコレクションを簡単に作成することができ、このディスクのコレクションには１つの番組のみが連続的に録画されているため、整理がし易くなる。
【００４３】
上述の読出手段、録画予約情報設定手段、及び録画手段は、録画／再生制御部２４により実現される。また、表示手段は、表示部２８に相当するものとする。また、ディスク１から読み出されユーザにより選択された録画予約情報１２及びディスクシリーズＩＤ１１は、プログラム格納／設定保存用メモリ２９に録画予約情報２９ａ及びディスクシリーズＩＤ２９ｂとして記憶されるが、これらの録画予約情報２９ａ及びディスクシリーズＩＤ２９ｂを録画／再生制御用メモリ２５に記憶してもよい。以下、本発明の録画装置２による録画方法の各実施形態について図３〜図８に基づいて説明する。
【００４４】
（第１の実施形態）
図３は、本発明の第１の実施形態に係る録画装置２による録画方法の一例を説明するための図である。本例のディスクセットは、録画予約情報１２及びディスクシリーズＩＤ１１を記録した１枚のマスターディスク１１と、マスターディスク１１と同じディスクシリーズＩＤ１１のみを記録した複数枚のブランクディスク１２〜１ｎとで構成され、このセットのディスクシリーズＩＤ１１は、“ＡＡＡＡＡ”とする。
【００４５】
まず、ユーザが、マスターディスク１１を録画装置２にセットすると（Ｓ１）、録画装置２は自動的にマスターディスク１１にアクセスし、マスターディスク１１の録画予約情報１２及びディスクシリーズＩＤ１１を読み出して、読み出した録画予約情報１２を放送番組毎にリスト表示する（Ｓ２）。そして、ユーザは、番組リスト画面に対して、リモコン等を操作して、所望の番組を選択すると（Ｓ３）、録画装置２は、ユーザにより選択された番組の録画予約情報１２をそのディスクシリーズＩＤ１１と共にプログラム格納／設定保存用メモリ２９に設定・記憶する（Ｓ４）。これにより録画予約処理は完了する。
【００４６】
次に、録画装置２は、プログラム格納／設定保存用メモリ２９に記憶した録画予約情報２９ａにより、録画開始時刻になると、録画装置２にセットされたディスクに録画を開始する。この際、マスターディスク１１あるいはマスターディスク１１と同じディスクシリーズＩＤ１１を持つブランクディスク１２〜１ｎがセットされている場合にのみ録画が実行される（Ｓ５）。
【００４７】
すなわち、共通のディスクシリーズＩＤ１１を持つディスクが装着されていない場合には、ディスクに対する録画は実行されない。このような場合には、後述の図６で説明するように、録画装置が内蔵するＨＤＤ（ハードディスクドライブ）やフラッシュＲＯＭなどに一時的に録画しておき、後で同じディスクシリーズＩＤ１１が記録されたディスクにコピーあるいはムーブすることができる。
【００４８】
このように、ディスクに記録された録画予約情報及びディスクシリーズＩＤに基づいて、ユーザは所望の連続番組などを一連のディスクセットに確実に収めることができるため、簡単にＤＶＤやＢＤによる全集（コレクション）を作成することができる。
【００４９】
（第２の実施形態）
図４は、本発明の第２の実施形態に係る録画装置２による録画方法の一例を説明するための図である。本例のディスクセットは、録画予約情報１２及びディスクシリーズＩＤ１１を記録した複数枚のマスターディスク１１〜１ｎで構成され、このセットのディスクシリーズＩＤ１１は、“ＡＡＡＡＡ”とする。第１の実施形態との相違点は、ディスクセットが複数枚のマスターディスク１１〜１ｎ（以下、本例では単にディスク１１〜１ｎという）で構成されている点である。
【００５０】
まず、ユーザが、複数枚のディスク１１〜１ｎの中で、任意のディスク（ここではディスク１１とする）を録画装置２にセットすると（Ｓ１１）、録画装置２は自動的にディスク１１にアクセスし、ディスク１１の録画予約情報１２及びディスクシリーズＩＤ１１を読み出して、読み出した録画予約情報１２を放送番組毎にリスト表示する（Ｓ１２）。そして、ユーザは、番組リスト画面に対して、リモコン等を操作して、所望の番組を選択すると（Ｓ１３）、録画装置２は、ユーザにより選択された番組の録画予約情報１２をそのディスクシリーズＩＤ１１と共にプログラム格納／設定保存用メモリ２９に設定・記憶する（Ｓ１４）。これにより録画予約処理は完了する。
【００５１】
次に、録画装置２は、プログラム格納／設定保存用メモリ２９に記憶した録画予約情報２９ａにより、録画開始時刻になると、セットされたディスクに録画を開始する。この際、第１の実施形態と同様に、同じディスクシリーズＩＤ１１を持つディスク１２〜１ｎがセットされている場合にのみ録画が実行される（Ｓ１５）。
【００５２】
（第３の実施形態）
図５は、本発明の第３の実施形態に係る録画装置２による録画方法の一例を説明するための図である。本例のディスクセットは、録画予約情報１２及びディスクシリーズＩＤ１１を記録した１枚のマスターディスク１１と、マスターディスク１１と同じディスクシリーズＩＤ１１のみを記録した複数枚のブランクディスク１２〜１ｎとで構成され、このセットのディスクシリーズＩＤ１１は、“ＡＡＡＡＡ”とする。ここでは、あるディスクシリーズＩＤを持つディスクセットのディスクを、他のディスクセットのディスクに転用する場合について説明する。
【００５３】
前述の図２において、録画／再生制御部２４により設定された録画予約情報１２を表示させた状態で、録画予約情報１２のディスクシリーズＩＤ１１と異なる他のディスクシリーズＩＤが記録されたディスクが装着された場合に、録画／再生制御部２４は、他のディスクシリーズＩＤを録画予約情報１２に対応付けて録画装置２に設定する。この設定処理以降は、録画予約情報１２に対応する放送番組を、ディスクシリーズＩＤ１１又は他のディスクシリーズＩＤが記録されたディスクに録画することができる。
【００５４】
以下、図５に基づいて録画装置２による具体的な録画方法を説明する。録画装置２には、ディスクシリーズＩＤ“ＡＡＡＡＡ”を持つマスターディスク１１で番組Ａの録画予約情報２９ａ及びディスクシリーズＩＤ２９ｂが登録されており、録画予約情報２９ａによる録画予約が設定されている（Ｓ２１）。ここで、ディスクシリーズＩＤ“ＡＡＡＡＡ”のディスクセットが不足した場合に、この番組Ａの録画処理に他のディスクシリーズＩＤ“ＢＢＢＢＢ”を持つディスク１ｎ＋１を以下のようにして転用する。
【００５５】
まず、ユーザがリモコン等を操作して、プログラム格納／設定保存用メモリ２９から番組Ａの録画予約情報２９ａ及びディスクシリーズＩＤ２９ｂを読み出して、この番組Ａの録画予約情報２９ａ及びディスクシリーズＩＤ２９ｂを画面上に表示する（Ｓ２２）。この時点では、ディスクシリーズＩＤ２９ｂの表示は“ＡＡＡＡＡ”のままである。この状態で、ユーザが別のディスクシリーズＩＤ“ＢＢＢＢＢ”を持つディスク１ｎ＋１を録画装置２にセットすると（Ｓ２３）、録画装置２は、セットされたディスク１ｎ＋１のディスクシリーズＩＤ“ＢＢＢＢＢ”を読み出して、これを番組Ａの録画予約情報２９ａと対応付けて、プログラム格納／設定保存用メモリ２９に記憶する。これによりディスクシリーズＩＤ“ＢＢＢＢＢ”が現在の録画先として追加登録される（Ｓ２４）。すなわち、番組Ａを録画するための“ＡＡＡＡＡ”のディスクシリーズＩＤ２９ｂは、“ＡＡＡＡＡ＋ＢＢＢＢＢ”のディスクシリーズＩＤ２９ｂ′に更新される。
【００５６】
なお、ユーザが別のディスクシリーズＩＤ“ＢＢＢＢＢ”を持つディスク１ｎ＋１を録画装置２にセットしたときに、録画装置２は、この“ＢＢＢＢＢ”のディスクを追加登録するか否かを確認するためのメッセージを表示させるようにしてもよい。これにより、ユーザはディスクを転用する前に、ディスクシリーズＩＤを確認することができるため、誤って必要なディスクを転用してしまうことがない。
【００５７】
そして、録画装置２は、プログラム格納／設定保存用メモリ２９に記憶した録画予約情報２９ａにより、録画開始時刻になると、録画装置２にセットされたディスクに録画を開始するが、この際、ディスクシリーズＩＤ１１が“ＡＡＡＡＡ”または“ＢＢＢＢＢ”を持つディスクがセットされている場合にのみ録画が実行される（Ｓ２５）。このようにすることで、例えば、以前に購入したディスクセットで余っているディスクを無駄なく利用することができる。
【００５８】
なお、本実施形態は、第２の実施形態に示したように、録画予約情報１２及びディスクシリーズＩＤ１１を記録した複数枚のマスターディスク１１〜１ｎで構成した場合でも同様に実施することができる。
【００５９】
（第４の実施形態）
図６は、本発明の第４の実施形態に係る録画装置２による録画方法の一例を説明するための図である。本実施形態では、プログラム格納／設定保存用メモリ２９に記憶した録画予約情報２９ａにより番組の録画開始時刻になったときに、録画装置２に対応するディスク１がセットされていない場合の動作例について説明する。
【００６０】
前述の図２において、録画／再生制御部２４により設定された録画予約情報２９ａによる録画開始時刻になったときに、ディスクシリーズＩＤ１１が記録されたディスク１が装着されていない場合、例えば、例えば、ディスクが未装着の場合や、ディスクシリーズＩＤ１１とは異なる他のディスクシリーズＩＤを記録したディスクが装着されている場合、ディスクシリーズＩＤが記録されていないディスクが装着されている場合には、録画／再生制御部２４は、録画予約情報２９ａに対応する放送番組を、録画装置２が内蔵する記憶部３２に録画する。記憶部３２としては、録画装置２に内蔵されるＨＤＤやフラッシュＲＯＭなどの不揮発性メモリや、ＳＤＲＡＭ（Synchronous Dynamic Random Access Memory）などの揮発性メモリであってもよい。
【００６１】
そして、録画装置２の電源をオフしたとき、または、次回電源をオンしたときに、対応するディスクシリーズＩＤ１１が記録されたディスク１を装着するように促すメッセージを表示させ、ディスク１が装着されたことを検知すると、記憶部３２に録画した放送番組を、ディスク１にコピーあるいはムーブする。
【００６２】
以下、図６に基づいて録画装置２による具体的な録画方法を説明する。録画装置２には、例えば、番組Ａ，チャンネル１５，放送スケジュール（４／２７（月）の２１：００〜２１：５４）などを含む録画予約情報２９ａと、対応するディスクシリーズＩＤ２９ｂとして“ＡＡＡＡＡ”とが設定されている。そして、録画装置２に“ＡＡＡＡＡ”のディスクシリーズＩＤ１１を持つディスク１がセットされていない状態で、番組Ａの録画予約時刻（４／２７（月）の２１：００）になったとする（Ｓ３１）。この際、録画装置２は、番組Ａの録画を記憶部３２に対して実行する（Ｓ３２）。
【００６３】
そして、例えば、次回ユーザが録画装置２の電源をオンしたときに、録画装置２は、対応するディスクシリーズＩＤ１１（ここでは、“ＡＡＡＡＡ”）が記録されたディスク１を装着するように促すメッセージを表示する（Ｓ３３）。このメッセージに応じて、ユーザは“ＡＡＡＡＡ”を持つディスク１を録画装置２にセットすると（Ｓ３４）、録画装置２はこれを検知して、記憶部３２に録画した番組を、セットされたディスク１にコピーあるいはムーブを開始する（Ｓ３５）。
【００６４】
なお、Ｓ３３において、電源がオンされたときに録画装置２は、ディスク１の装着を促すメッセージの代わりに、ディスク１へのコピーを行うか否かを確認するためのメッセージを表示させるようにしてもよい。ディスク１へのコピーを行わない場合、例えば、画面上で「ＮＯ」ボタンがユーザにより選択指示された場合には、ディスク１へのコピーを実行せずに、そのまま起動する。また、ディスク１へのコピーを行う場合、例えば、画面上で「ＹＥＳ」ボタンがユーザにより選択指示された場合には、対応するディスク１の装着を促すメッセージを表示し、ディスク１へのコピーを実行する。
【００６５】
（第５の実施形態）
図７は、本発明の第５の実施形態に係る録画装置２による録画方法の一例を説明するための図である。本実施形態の録画装置２は、シリーズＩＤが異なる複数のディスクを格納し、これら複数のディスクに対して選択的に録画又は再生を行うためのチェンジャ装置３と接続される。このチェンジャ装置３を外部接続する場合は、チャンジャ装置３にディスクドライブ部を内蔵すればよい。この場合、録画装置２のディスクドライブ部３１を不要としてもよい。また、録画装置２にチェンジャ装置３を一体的に構成する場合、チェンジャ装置３と録画装置２とで録画装置２のディスクドライブ部３１を共用してもよい。チェンジャ装置３については公知のものを用いればよいため、ここでの具体的な説明は省略する。
【００６６】
前述の図２において、録画／再生制御部２４は、チェンジャ装置３に格納されたいずれかのディスクの録画予約情報１２により放送番組を録画する際に、チェンジャ装置３に格納された複数のディスクの中から、録画予約情報１２に対応するディスクシリーズＩＤ１１が記録されたディスクを選択し、選択したディスクに放送番組を録画する。
【００６７】
以下、図７に基づいて録画装置２による具体的な録画方法を説明する。まず、ユーザがディスクシリーズＩＤ１１として“ＡＡＡＡＡ”を持つディスク１ａをチェンジャ装置３にセットすると、録画装置２は、このディスク１ａの録画予約情報１２を読み出して番組毎にリスト表示する。そして、ユーザは、リモコン等を操作して、画面上のリストから所望の番組を選択して録画予約を行う（Ｓ４１）。ここでは番組Ｙが録画予約される。
【００６８】
同様に、ユーザがディスクシリーズＩＤ１１として“ＢＢＢＢＢ”を持つディスク１ｂをチェンジャ装置３にセットすると、録画装置２は、このディスク１ｂの録画予約情報１２を読み出して番組毎にリスト表示する。そして、ユーザは、リモコン等を操作して、画面上のリストから所望の番組を選択して録画予約を行う（Ｓ４２）。ここでは番組Ｐが録画予約される。
【００６９】
そして、録画装置２は、番組Ｙの放送開始時刻になると、チャンジャ装置３に格納された複数のディスクの中から、ディスクシリーズＩＤ１１として“ＡＡＡＡＡ”を持つディスク１ａを選択し、選択したディスク１ａに番組Ｙを録画する（Ｓ４３）。また、同様に、録画装置２は、番組Ｐの放送開始時刻になると、チャンジャ装置３に格納された複数のディスクの中から、ディスクシリーズＩＤ１１として“ＢＢＢＢＢ”を持つディスク１ｂを選択し、選択したディスク１ｂに番組Ｐを録画する（Ｓ４３）。
【００７０】
（第６の実施形態）
図８は、本発明の第６の実施形態に係る録画装置２による録画方法の一例を説明するための図である。放送局によっては、同じ番組を地域毎に異なるチャンネルや時間帯で放送していることがある。そこで、本実施形態では、ディスクに記録された録画予約情報１２に、各番組について地域毎のチャンネル及び放送予定時間を含むようにしている。図８に示す例では、番組Ａについて、北海道、東北地方、関東地方、…の各地域毎に、チャンネル及び放送予定時間１２ａ，１２ｂ，１２ｃ、…が登録されている。
【００７１】
通常、録画装置２を設置する際に、ユーザやサービスマンの操作などによって、放送の選局設定を行う。この際、メニュー画面などで地域を選択することで、スムーズに選局設定を行えるようになっている。この地域設定を利用して、地域に応じたチャンネル及び放送予定時間を設定できるようにする。すなわち、図２において、録画／再生制御部２４は、録画装置２に設定された地域設定と、番組リストからユーザにより選択された放送番組とに基づいて、ディスクの録画予約情報１２を参照し、この放送番組について該当する地域のチャンネル及び放送予定時間を選択して録画装置２に設定する。これにより、地域別に複数のディスクセットを作成しなくても、地域に応じた録画予約が可能となるため、１つのディスクセットを広範囲に頒布することが可能となる。
【００７２】
以下、図８に基づいて録画装置２による具体的な録画方法を説明する。まず、ユーザは、録画装置２の設置時に地域設定を行い、選局設定を行う（Ｓ５１）。ここでは、「東北地方」が設定される。次に、ユーザは、マスターディスク１を録画装置２にセットすると（Ｓ５１）、録画装置２は自動的にマスターディスク１にアクセスし、マスターディスク１の録画予約情報１２及びディスクシリーズＩＤ１１を読み出して、読み出した録画予約情報１２を放送番組毎にリスト表示する（Ｓ５２）。
【００７３】
そして、ユーザは、番組リスト画面に対して、リモコン等を操作して、所望の番組を選択すると（Ｓ５３）、録画装置２は、Ｓ５１で設定された地域設定と、Ｓ５２の番組リストからユーザにより選択された放送番組とに基づいて、マスターディスク１の録画予約情報１２を参照し、この放送番組について該当する地域のチャンネル及び放送予定時間を選択して録画装置２に設定・記憶する（Ｓ５４）。この際、マスターディスク１のディスクシリーズＩＤ１１も同時に録画装置２に設定・記憶される。ここでは、録画装置２に設定された地域が「東北地方」であり、ユーザにより番組Ａが選択されているため、マスターディスク１の録画予約情報１２から、番組Ａの「東北地方」のチャンネル及び放送予定時間１２ｂが設定される。これにより一連の録画予約処理が完了する。
【００７４】
このように、各実施形態で説明したＤＶＤやＢＤなどのディスクメディアをセット販売することにより、ユーザは面倒な録画予約の操作を行うことなく、また、各ディスクの記録内容の管理を行うことなく、所望の番組を複数のディスクに連続的に録画することができる。
また、録画予約情報を記録したディスクセットを販売することで、ディスクセットを購入したユーザは継続して番組を視聴するであろうと予測できるため、コンテンツの提供者（放送局）からすると、番組の視聴者を確保することができる。
【符号の説明】
【００７５】
１…記録媒体（ディスク）、２…録画装置、３…チェンジャ装置、１１，２９ｂ…ディスクシリーズＩＤ、１２，２９ａ…録画予約情報、２１…デジタルチューナ、２２…ＭＰＥＧ−２エンコーダ、２３…ストリーム処理部、２４…録画／再生制御部、２５…録画／再生制御用メモリ、２６…再生用デコーダ、２７…画像処理／ＯＳＤ処理部、２８…表示部、２９…プログラム格納／設定保存用メモリ、３０…ＳＡＴＡＩ／Ｆ、３１…ディスクドライブ部、３２…記憶部。
【図１】
2010244663.tif 000003
【図２】
2010244663.tif 000004
【図３】
2010244663.tif 000005
【図４】
2010244663.tif 000006
【図５】
2010244663.tif 000007
【図６】
2010244663.tif 000008
【図７】
2010244663.tif 000009
【図８】
2010244663.tif 000010